(57)【要約】【課題】高速耐久性能の向上を向上させると共に、不良を抑制した空気入りタイヤを提供する。【解決手段】空気入りタイヤのトレッドゴム１０は、タイヤ回転軸回りに螺旋状に巻き付けられたリボンゴム２０により形成されている。リボンゴム２０は、タイヤ子午線断面においてトレッド端Ｐ１・Ｐ２よりも中央側に位置する始点Ｓ１からタイヤ幅方向一方側（ＷＤ１）に向けて巻き付けられ、次いで一方側のトレッド端Ｐ２でタイヤ幅方向他方側（ＷＤ２）に折り返して、始点Ｓ１を越えて他方側のトレッド端Ｐ１に向けて巻き付けられ、次いで他方側のトレッド端Ｐ１でタイヤ幅方向一方側（ＷＤ１）に折り返し、終点Ｅ１に向けて巻き付けられる。リボンゴム２０は、トレッド端Ｐ１・Ｐ２及びトレッド中央部を避けたトレッド端近傍部Ａｒ１・Ａｒ２に、巻き付け始端Ｓ１及び巻き付け終端Ｅ１を有する。【選択図】図６
2013147243.tif 000002
【特許請求の範囲】
【請求項１】
タイヤ回転軸回りに螺旋状に巻き付けられたリボンゴムによりトレッドゴムが形成される空気入りタイヤであって、
前記リボンゴムは、タイヤ子午線断面においてトレッド端よりも中央側に位置する始点からタイヤ幅方向の一方側に向けて巻き付けられ、次いで一方側のトレッド端でタイヤ幅方向の他方側に折り返して、前記始点を越えて他方側のトレッド端に向けて巻き付けられ、次いで他方側のトレッド端でタイヤ幅方向の一方側に折り返し、トレッド端よりも中央側に位置する終点に向けて巻き付けられており、
前記リボンゴムは、トレッド端及びトレッド中央部を避けたトレッド端近傍部に、巻き付け始端及び巻き付け終端を有することを特徴とする空気入りタイヤ。
【請求項２】
前記巻き付け終端は、タイヤ周方向に延びる主溝の形成箇所に配置されている請求項１に記載の空気入りタイヤ。
【請求項３】
前記トレッドゴムは、トレッド端よりも中央側の部位において、タイヤ幅方向一方側に向かって巻き付けられたリボンゴムを折り返して、タイヤ幅方向他方側に向けて巻き付けた後、再度折り返してタイヤ幅方向一方側に向けて巻き付けた三層構造部を有する請求項１又は２に記載の空気入りタイヤ。
【請求項４】
前記リボンゴムは、対をなすトレッド端近傍部のうちタイヤ幅方向の一方側のトレッド端近傍部を始点としてタイヤ幅方向他方側のトレッド端に至る第一層を形成し、次いでタイヤ幅方向他方側のトレッド端でタイヤ幅方向一方側に折り返して前記始点を越えて一方側のトレッド端に至る第二層を形成し、次いで一方側のトレッド端でタイヤ幅方向他方側に折り返してタイヤ幅方向他方側のトレッド端近傍部を終点とする第三層を形成している請求項１〜３のいずれかに記載の空気入りタイヤ。
【請求項５】
リボンゴムをタイヤ回転軸回りに螺旋状に巻き付けることによりトレッドゴムを形成するトレッドゴム成形工程を備える空気入りタイヤの製造方法であって、
前記トレッドゴム成形工程は、前記リボンゴムを、タイヤ子午線断面においてトレッド端よりも中央側に位置する始点からタイヤ幅方向の一方側に向けて巻き付け、次いで一方側のトレッド端でタイヤ幅方向の他方側に折り返して、前記始点を越えて他方側のトレッド端に向けて巻き付け、次いで他方側のトレッド端でタイヤ幅方向の一方側に折り返し、トレッド端よりも中央側に位置する終点に向けて巻き付ける段階を含み、
前記リボンゴムは、トレッド端及びトレッド中央部を避けたトレッド端近傍部に、巻き付け始端及び巻き付け終端を有することを特徴とする空気入りタイヤの製造方法。
【請求項６】
前記巻き付け終端を、タイヤ周方向に延びる主溝の形成箇所に配置する請求項５に記載の空気入りタイヤの製造方法。
【請求項７】
トレッド端よりも中央側の部位において、タイヤ幅方向の一方側に向かって巻き付けたリボンゴムを折り返して、タイヤ幅方向の他方側に向けて巻き付けた後、再度折り返してタイヤ幅方向の一方側に向けて巻き付けて、三層構造部を形成する請求項５又は６に記載の空気入りタイヤの製造方法。
【請求項８】
前記リボンゴムの巻き付け位置を、対をなすトレッド端近傍部のうちタイヤ幅方向の一方側のトレッド端近傍部を始点としてタイヤ幅方向他方側のトレッド端に移動させて第一層を形成し、次いでタイヤ幅方向他方側のトレッド端でタイヤ幅方向一方側に折り返して前記始点を越えて一方側のトレッド端に移動させて第二層を形成し、次いで一方側のトレッド端でタイヤ幅方向他方側に折り返してタイヤ幅方向他方側のトレッド端近傍部を終点として第三層を形成する請求項５〜７のいずれかに記載の空気入りタイヤの製造方法。
【発明の詳細な説明】
【技術分野】
【０００１】
本発明は、トレッドゴムを有する空気入りタイヤ及びその製造方法に関する。
【背景技術】
【０００２】
従来から、略円筒状の回転支持体の外周面に、未加硫のリボンゴムをその側縁を重ねながらタイヤ回転軸回りに螺旋状に巻き付けることによってトレッドゴムを形成する、いわゆるリボン巻き工法が提案されている。
【０００３】
リボン巻き工法でトレッドゴムが形成される空気入りタイヤの一例として、例えば特許文献１には、リボンゴムが、タイヤ子午線断面においてトレッド中央部に位置する始点からタイヤ幅方向の一方側に向けて巻き付けられ、次いで一方側のトレッド端でタイヤ幅方向の他方側に折り返して、前記始点を越えて他方側のトレッド端に向けて巻き付けられており、リボンゴムの巻き付け始端及び巻き付け終端が、トレッドゴムの中央部（タイヤ赤道付近）に配置されている空気入りタイヤが開示されている。
【０００４】
リボン巻き工法で製造される空気入りタイヤの他の一例として、特許文献２には、リボンゴムが、タイヤ幅方向の一方側のトレッド端を始点として他方側のトレッド端に向けて巻き付けられ、次いで他方側のトレッド端でタイヤ幅方向の一方側に折り返して、一方側のトレッド端に向けて巻き付けられ、リボンゴムの巻き付け始端及び巻き付け終端がトレッド端に配置されている空気入りタイヤが開示されている。
【先行技術文献】
【特許文献】
【０００５】
【特許文献１】特開２００６−１３０８８０号公報
【特許文献２】特開２００２−４６１９４号公報
【発明の概要】
【発明が解決しようとする課題】
【０００６】
しかしながら、上記特許文献１のような空気入りタイヤでは、リボンゴムの巻き付け始端及び巻き付け終端がトレッド中央部に配置されており、トレッドゴム中央部は、トレッド端に比して大きな遠心力が作用するので、巻き付け始点及び巻き付け終端がトレッド端にある場合に比べて、巻き付け終端が起点となる故障が発生しやすく、高速耐久性能が悪化してしまう。
【０００７】
一方、上記特許文献２のような空気入りタイヤでは、リボンゴムの巻き付け始点及び巻き付け終端がトレッド端に配置されており、トレッド端は一般的に先細り状をなしているので、リボンゴム巻き付け工程において、トレッド端となる部位に巻き付けたリボンゴムを後追いローラ（ステチャー）で適切に押さえることが難しく、不良が生じやすい。
【０００８】
本発明は、このような課題に着目してなされたものであって、その目的は、高速耐久性能を向上させると共に、不良を抑制した空気入りタイヤ及びその製造方法を提供することである。
【課題を解決するための手段】
【０００９】
本発明は、上記目的を達成するために、次のような手段を講じている。
【００１０】
すなわち、本発明の空気入りタイヤは、タイヤ回転軸回りに螺旋状に巻き付けられたリボンゴムによりトレッドゴムが形成される空気入りタイヤであって、前記リボンゴムは、タイヤ子午線断面においてトレッド端よりも中央側に位置する始点からタイヤ幅方向の一方側に向けて巻き付けられ、次いで一方側のトレッド端でタイヤ幅方向の他方側に折り返して、前記始点を越えて他方側のトレッド端に向けて巻き付けられ、次いで他方側のトレッド端でタイヤ幅方向の一方側に折り返し、トレッド端よりも中央側に位置する終点に向けて巻き付けられており、前記リボンゴムは、トレッド端及びトレッド中央部を避けたトレッド端近傍部に、巻き付け始端及び巻き付け終端を有することを特徴とする。
【００１１】
トレッド端近傍部は、トレッド端から中央側に向けてトレッドゴム最大幅の５〜２５％の範囲内を意味する。
【００１２】
このように、リボンゴムの巻き付け始端及び巻き付け終端が、トレッド中央部を避けたトレッド端近傍部に配置されているので、巻き付け始端及び巻き付け終端がトレッド中央部に配置されている場合に比べて、遠心力の影響が低減し、高速耐久性能を向上させることが可能となる。それでいて、巻き付け始端及び巻き付け終端が、トレッド端を避けたトレッド端近傍部に配置されているので、巻き付け時にリボンゴムを適切に押えることができ、不良を抑制することが可能となる。
【００１３】
発熱に起因する故障を抑制して、高速耐久性能を更に向上させるためには、リボンゴムの巻き付け終端は、タイヤ周方向に延びる主溝の形成箇所に配置されていることが効果的である。このようにすれば、主溝の形成箇所は、ゴムの厚みが薄くなり、それに伴い高速回転時の発熱が抑えられる。したがって、発熱に起因する故障を抑制して、高速耐久性能を向上させることが可能となる。
【００１４】
トラック用タイヤやバス用タイヤ等、トレッドゴムが分厚いタイヤをリボン巻き工法で製造する場合には、リボンゴムの巻き付けピッチを狭くしてリボンゴムを立てた状態にすることが多い。ところが、リボンゴムが起立するほど、巻き付けのコントロールが難しくなってしまうので、トレッドゴムの厚みを確保するのは難しい作業となる。
【００１５】
そこで、トレッドゴムの厚みを容易に確保するためには、前記トレッドゴムは、トレッド端よりも中央側の部位において、タイヤ幅方向一方側に向かって巻き付けられたリボンゴムを折り返して、タイヤ幅方向他方側に向けて巻き付けた後、再度折り返してタイヤ幅方向一方側に向けて巻き付けた三層構造部を有することが好ましい。このような三層構造部を有するタイヤは、リボンゴムの巻き付けピッチを狭くしてリボンゴムを立てなくても、逆に言えば、リボンゴムの巻き付けピッチを広くしてリボンゴムを寝かせた状態にしても、製造できるため、トレッドゴムの厚みを容易に確保することが可能となる。
【００１６】
トレッドゴムの厚み確保と、リボンゴムの巻き付けコントロール性とを両立させるためには、前記リボンゴムは、対をなすトレッド端近傍部のうちタイヤ幅方向の一方側のトレッド端近傍部を始点としてタイヤ幅方向他方側のトレッド端に至る第一層を形成し、次いでタイヤ幅方向他方側のトレッド端でタイヤ幅方向一方側に折り返して前記始点を越えて一方側のトレッド端に至る第二層を形成し、次いで一方側のトレッド端でタイヤ幅方向他方側に折り返してタイヤ幅方向他方側のトレッド端近傍部を終点とする第三層を形成していることが好ましい。
【００１７】
上記の空気入りタイヤは、下記の製造方法によって製造される。すなわち、本発明の空気入りタイヤの製造方法は、リボンゴムをタイヤ回転軸回りに螺旋状に巻き付けることによりトレッドゴムを形成するトレッドゴム成形工程を備える空気入りタイヤの製造方法であって、前記トレッドゴム成形工程は、前記リボンゴムを、タイヤ子午線断面においてトレッド端よりも中央側に位置する始点からタイヤ幅方向の一方側に向けて巻き付け、次いで一方側のトレッド端でタイヤ幅方向の他方側に折り返して、前記始点を越えて他方側のトレッド端に向けて巻き付け、次いで他方側のトレッド端でタイヤ幅方向の一方側に折り返し、トレッド端よりも中央側に位置する終点に向けて巻き付ける段階を含み、前記リボンゴムは、トレッド端及びトレッド中央部を避けたトレッド端近傍部に、巻き付け始端及び巻き付け終端を有することを特徴とする。
【００１８】
この製造方法であれば、始点から終点に至るまでの間にリボンゴムを切断することなく、一度の巻き付けによってトレッドゴムを成形できるので、トレッドゴムの成形効率を向上させることが可能となる。しかも、上記の通り、高速耐久性能を向上させることができ、さらには、不良を抑制することが可能となる。
【００１９】
高速耐久性能を更に向上させるためには、前記巻き付け終端を、タイヤ周方向に延びる主溝の形成箇所に配置するのが好ましい。
【００２０】
トレッドゴムの厚みを容易に確保するためには、トレッド端よりも中央側の部位において、タイヤ幅方向の一方側に向かって巻き付けたリボンゴムを折り返して、タイヤ幅方向の他方側に向けて巻き付けた後、再度折り返してタイヤ幅方向の一方側に向けて巻き付けて、三層構造部を形成するのが望ましい。
【００２１】
トレッドゴムの厚み確保と、リボンゴムの巻き付けコントロール性とを両立させるためには、前記リボンゴムの巻き付け位置を、対をなすトレッド端近傍部のうちタイヤ幅方向の一方側のトレッド端近傍部を始点としてタイヤ幅方向他方側のトレッド端に移動させて第一層を形成し、次いでタイヤ幅方向他方側のトレッド端でタイヤ幅方向一方側に折り返して前記始点を越えて一方側のトレッド端に移動させて第二層を形成し、次いで一方側のトレッド端でタイヤ幅方向他方側に折り返してタイヤ幅方向他方側のトレッド端近傍部を終点として第三層を形成するのが好ましい。
【図面の簡単な説明】
【００２２】
【図１】本発明の一実施形態に係る空気入りタイヤを示すタイヤ子午線断面図。
【図２】トレッドゴムの成形工程で用いられる製造設備を示す図。
【図３】リボンゴムの模式的な断面図。
【図４】トレッドゴムの成形工程を概略的に示す断面図。
【図５】リボンゴムの巻き付け過程を示す平面図。
【図６】リボン巻き付け位置の移動経路を示す概念図。
【図７】リボンゴムの巻き付け過程を示す断面図。
【図８】リボン巻き付け位置の他の移動経路を示す概念図。
【図９】リボン巻き付け位置の上記以外の移動経路を示す概念図。
【図１０】リボン巻き付け位置の上記以外の移動経路を示す概念図。
【図１１】リボン巻き付け位置の上記以外の移動経路を示す概念図。
【図１２】リボン巻き付け位置の上記以外の移動経路を示す概念図。
【発明を実施するための形態】
【００２３】
以下、本発明の実施形態について図面を参照しつつ説明する。まず、本発明の空気入りタイヤの構成を説明し、次いで、本発明に係る空気入りタイヤの製造方法について説明する。
【００２４】
［空気入りタイヤの構成］
図１に示した空気入りタイヤＴは、一対のビード部１と、そのビード部１の各々からタイヤ径方向外側に延びるサイドウォール部２と、そのサイドウォール部２の各々のタイヤ径方向外側端に連なるトレッド部３とを備えている。ビード部１には、鋼線等の収束体をゴム被覆してなる環状のビードコア１ａと、硬質ゴムからなるビードフィラー１ｂとが配設されている。
【００２５】
一対のビード部１の間にはトロイド状のカーカス層７が配され、その端部がビードコア１ａを介して巻き上げられた状態で係止されている。カーカス層７は、少なくとも１枚（本実施形態では２枚）のカーカスプライにより構成され、該カーカスプライは、タイヤ周方向に対して略９０°の角度で延びるコードをトッピングゴムで被覆して形成されている。カーカス層７の内周には、空気圧を保持するためのインナーライナーゴム５が配されている。
【００２６】
ビード部１では、カーカス層７の外側に、リム装着時にリム（不図示）と接するリムストリップゴム４が設けられている。また、サイドウォール部２では、カーカス層７の外側にサイドウォールゴム９が設けられている。本実施形態では、リムストリップゴム４及びサイドウォールゴム９が、それぞれ導電性ゴムにより形成されている。
【００２７】
トレッド部３では、カーカス層７の外側に、複数枚（本実施形態では２枚）のベルトプライにより構成されたベルト層６が配されている。各ベルトプライは、タイヤ周方向に対して傾斜して延びるコードをトッピングゴムで被覆して形成され、該コードがプライ間で互いに逆向きに交差するように積層されている。ベルト層６の外周には、実質的にタイヤ周方向に延びるコードをトッピングゴムで被覆してなるベルト補強層８を配しているが、必要に応じて省略しても構わない。
【００２８】
トレッド部３では、ベルト層６の外周にトレッドゴム１０が設けられている。トレッドゴム１０は、接地面を構成するキャップ部１２と、キャップ部１２のタイヤ径方向内側に設けられたベース部１１とを有する。ベース１１は、キャップ１２とは異種のゴムからなる。
【００２９】
上述したゴム層等の原料ゴムとしては、天然ゴム、スチレンブタジエンゴム（ＳＢＲ）、ブタジエンゴム（ＢＲ）、イソプレンゴム（ＩＲ）、ブチルゴム（ＩＩＲ）等が挙げられ、これらは１種単独で又は２種以上混合して使用される。また、これらのゴムはカーボンブラックやシリカ等の充填材で補強されると共に、加硫剤、加硫促進剤、可塑剤、老化防止剤等が適宜配合される。
【００３０】
トレッドゴム１０、特にキャップ部１２は、いわゆるリボン巻き工法により成形される。リボン巻き工法は、図３に示す小幅で未加硫のリボンゴム２０をタイヤ回転軸回りに螺旋状に巻き付けて（図２及び図５参照）、所望の断面形状を有するゴム部材を成形する工法である。リボン巻き工法で成形されたトレッドゴム１０は、図７（ｃ）に示すように、リボンゴム２０の巻き付け始端Ｓ１及び巻き付け終端Ｅ１を有する。これら巻き付け始端Ｓ１及び巻き付け終端Ｅ１、巻き付け位置の移動経路は、タイヤ子午線断面において確認することができる。詳細は後述する。
【００３１】
また、トレッドゴム１０の表面には、加硫処理が施されることにより、タイヤ周方向に延びる主溝１５が形成されている。加硫処理に使用されるタイヤモールドには突起が設けられており、その突起をトレッドゴム１０に押し付けることで主溝１５が形成される。図示しないが、トレッドゴム１０には、主溝１５に交差する方向に延びる横溝なども適宜に設けられる。
【００３２】
［空気入りタイヤの製造方法］
次に、空気入りタイヤＴを製造する方法について説明する。空気入りタイヤＴは、トレッドゴム１０に関する点を除けば、従来のタイヤ製造工程と同様して製造できるため、トレッドゴム１０の成形工程を中心に説明する。
【００３３】
図１に示すトレッドゴム１０は、上記リボン巻き工法によって成形される。トレッドゴム１０の成形工程は、図２に示すように、回転支持体３１を回転させながら、リボンゴム成形装置３０から供給されたリボンゴム２０を回転支持体３１に巻き付ける段階を含む。ゴムリボン２０は、図３に示すように、非導電性ゴムにより形成されている。巻き付け時には、図３の下側が、回転支持体３１に対向する内周側となる。リボンゴム（ゴムストリップともいう）の幅、厚みは特に限定されないが、好ましくは、幅が15〜40mm、厚みが0.5〜3.0mmであることが望ましい。
【００３４】
図２に示すように、リボンゴム成形装置３０は、ゴムを押出してリボンゴム２０を成形可能に構成されている。回転支持体３１は、軸３１ａを中心としたＲ方向の回転と、軸方向への移動とが可能に構成されている。制御装置３２は、リボンゴム成形装置３０及び回転支持体３１の作動制御を行う。本実施形態では、リボンゴム２０の断面は三角形状であるが、これに限られず、楕円形や四角形などの他の形状でも構わない。また、回転支持体３１は軸方向へ移動可能に構成されているが、回転支持体３１に対しリボンゴム成形装置３０を移動させてもよい。すなわち、回転支持体３１が、リボンゴム成形装置３０に対して軸方向に沿って相対移動可能に構成されていればよい。
【００３５】
トレッドゴム１０の成形工程では、まず、図４（ａ）に示すように、回転支持体３１の外周面にベース部１１を形成する。図示を省略しているが、回転支持体３１の外周面には予めベルト層６とベルト補強層８とが設けられ（図１参照）、それらの上にベース部１１が形成される。ベース部１１は、いわゆる押出成形法とリボン巻き工法のいずれで形成しても構わない。押出成形法は、所望の断面形状を有する未加硫の帯状ゴム部材を押出成形し、その端部同士をジョイントして環状に成形する工法である。
【００３６】
次に、図４（ｂ）〜（ｄ）に順次示すように、ベース１１の外周面にキャップ部１２を形成し、図１に示したトレッドゴム１０を成形する。ここでは、図５に示すように、リボンゴム２０の巻き付けピッチＰ２０は、リボンゴム２０のリボン幅Ｗ２０よりも小さく設定されている。これにより、隣り合うリボンゴム２０・２０同士が相互に接する状態で螺旋状に巻き付けられる。矢印Ｄは、リボン巻き付け位置の移動方向を示し、この方向に沿って隣り合うリボンゴム２０が相互に縁部を重ねている。
【００３７】
図６は、図４に示したトレッドゴムの成形工程における、リボンゴム２０の巻き付け位置の移動経路を概念的に示している。説明の便宜上、タイヤ子午線断面においてタイヤ幅方向ＷＤの一方側（図では右方）をＷＤ１とし、他方側をＷＤ２（図では左方）とする。リボンゴムは、タイヤ子午線断面においてトレッド端Ｐ１・Ｐ２よりも中央側に位置する始点Ｓ１からタイヤ幅方向ＷＤ１側に向けて巻き付けられる。次いでリボンゴムは、ＷＤ１側のトレッド端Ｐ２でタイヤ幅方向ＷＤ２側に折り返して、前記始点Ｓ１を越えてＷＤ２側のトレッド端Ｐ１に向けて巻き付けられる。次いでリボンゴムは、ＷＤ２側のトレッド端Ｐ１でタイヤ幅方向Ｘ１側に折り返し、トレッド端Ｐ１・Ｐ２よりも中央側に位置する終点Ｅ１に向けて巻き付けられる。また、同図に示すように、トレッド端Ｐ１・Ｐ２から中央側に向けてトレッドゴム最大幅Ｗの５〜２５％の範囲内をトレッド端近傍部Ａｒ１・Ａｒ２とした場合に、リボンゴムは、トレッド端近傍部Ａｒ１・Ａｒ２に、巻き付け始Ｓ１及び巻き付け終端Ｅ１を有する。トレッド端近傍部の定義において５％以上としているのは、先細り状のトレッド端を避ける意味である。また、２５％以下としているのはトレッド中央部を避ける意味であるが、高速耐久性能の向上を追求するには２０％以下であるのが好ましい。
【００３８】
具体的には、図７（ａ）〜（ｃ）に順次示すように、リボンゴム２０を巻き付ける。なお、図７は概念的に描かれており、トレッドゴム１０に対する各リボンゴム２０の断面積比は、もっと小さくて構わない。
【００３９】
図７（ａ）は、図４（ｂ）の段階に相当し、リボンゴムの巻き付け位置が、対をなすトレッド端近傍部Ａｒ１・Ａｒ２のうちタイヤ幅方向ＷＤ２側（左方）のトレッド端近傍部Ａｒ１を始点Ｓ１としてタイヤ幅方向ＷＤ１側（右方）に移動し、タイヤ幅方向ＷＤ１側（右方）のトレッド端Ｐ２に至る。これにより、リボンゴム２０の第一層Ｌ１が形成される。
【００４０】
図７（ｂ）は、図４（ｃ）の段階に相当し、リボンゴムの巻き付け位置が、タイヤ幅方向ＷＤ１側（右方）のトレッド端Ｐ２でタイヤ幅方向ＷＤ２側（左方）に折り返して始点Ｓ１を越えてタイヤ幅方向ＷＤ２側（左方）のトレッド端Ｐ１に至る。これにより、リボンゴム２０の第二層Ｌ２が形成される。
【００４１】
図７（ｃ）は、図４（ｄ）の段階に相当し、リボンゴムの巻き付け位置が、タイヤ幅方向ＷＤ２側（左方）のトレッド端Ｐ１でタイヤ幅方向ＷＤ１側（右方）に折り返してタイヤ幅方向ＷＤ１側（右方）のトレッド端近傍部Ａｒ２に至り、ここを終点Ｅ１とする。これにより、リボンゴム２０の第三層Ｌ３が形成される。
【００４２】
以上のように本実施形態の空気入りタイヤは、タイヤ回転軸回りに螺旋状に巻き付けられたリボンゴム２０によりトレッドゴム１０が形成される空気入りタイヤＴであって、リボンゴム２０は、タイヤ子午線断面においてトレッド端Ｐ１・Ｐ２よりも中央側に位置する始点Ｓ１からタイヤ幅方向ＷＤの一方側（ＷＤ１）に向けて巻き付けられ、次いで一方側（ＷＤ１）のトレッド端Ｐ２でタイヤ幅方向ＷＤの他方側（ＷＤ２）に折り返して、始点Ｓ１を越えて他方側（ＷＤ２）のトレッド端Ｐ１に向けて巻き付けられ、次いで他方側（ＷＤ２）のトレッド端Ｐ１でタイヤ幅方向ＷＤの一方側（ＷＤ１）に折り返し、トレッド端Ｐ１・Ｐ２よりも中央側に位置する終点Ｅ１に向けて巻き付けられ、リボンゴム２０は、トレッド端Ｐ１・Ｐ２及びトレッド中央部を避けたトレッド端近傍部Ａｒ１・Ａｒ２に、巻き付け始端Ｓ１及び巻き付け終端Ｅ１を有する。
【００４３】
また、本実施形態の空気入りタイヤは、次の製造方法により生産される。すなわち、本実施形態の空気入りタイヤの製造方法は、リボンゴム２０をタイヤ回転軸回りに螺旋状に巻き付けることによりトレッドゴム１０を形成するトレッドゴム成形工程を備える空気入りタイヤの製造方法であって、トレッドゴム成形工程は、リボンゴム２０を、タイヤ子午線断面においてトレッド端Ｐ１・Ｐ２よりも中央側に位置する始点Ｓ１からタイヤ幅方向ＷＤの一方側（ＷＤ１）に向けて巻き付け、次いで一方側（ＷＤ１）のトレッド端Ｐ２でタイヤ幅方向ＷＤの他方側（ＷＤ２）に折り返して、始点Ｓ１を越えて他方側（ＷＤ２）のトレッド端Ｐ１に向けて巻き付け、次いで他方側（ＷＤ２）のトレッド端Ｐ１でタイヤ幅方向ＷＤの一方側（ＷＤ１）に折り返し、トレッド端Ｐ１・Ｐ２よりも中央側に位置する終点Ｅ１に向けて巻き付ける段階を含み、リボンゴム２０は、トレッド端Ｐ１・Ｐ２及びトレッド中央部を避けたトレッド端近傍部Ａｒ１・Ａｒ２に、巻き付け始端Ｓ１及び巻き付け終端Ｅ１を有する。
【００４４】
トレッド端近傍部Ａｒ１・Ａｒ２は、トレッド端Ｐ１・Ｐ２から中央側に向けてトレッドゴム最大幅Ｗの５〜２５％の範囲内を意味する。
【００４５】
このような製法によれば、始点Ｓ１から終点Ｅ１に至るまでの間にリボンゴム２０を切断することなく、一度の巻き付けによってトレッドゴム１０を成形できるので、トレッドゴム１０の成形効率を向上させることが可能となる。しかも、リボンゴム２０の巻き付け始端Ｓ１及び巻き付け終端Ｅ１が、トレッド中央部を避けたトレッド端近傍部Ａｒ１・Ａｒ２に配置されているので、巻き付け始端Ｓ１及び巻き付け終端Ｅ１がトレッド中央部に配置されている場合に比べて、遠心力の影響を低減し、高速耐久性能を向上させることが可能となる。それでいて、巻き付け始端Ｓ１及び巻き付け終端Ｅ１が、トレッド端Ｐ１・Ｐ２を避けたトレッド端近傍部Ａｒ１・Ａｒ２に配置されているので、リボンゴム２０を適切に押させることができ、不良を抑制することが可能となる。
【００４６】
特に、本実施形態の空気入りタイヤ及びその製造方法では、リボンゴム２０は、対をなすトレッド端近傍部Ａｒ１・Ａｒ２のうちタイヤ幅方向ＷＤの一方側（ＷＤ２）のトレッド端近傍部Ａｒ１を始点Ｓ１としてタイヤ幅方向他方側（ＷＤ１）のトレッド端Ｐ２に至る第一層Ｌ１を形成し、次いでタイヤ幅方向他方側（ＷＤ１）のトレッド端Ｐ２でタイヤ幅方向一方側（ＷＤ２）に折り返して始点Ｓ１を越えて一方側（ＷＤ２）のトレッド端Ｐ１に至る第二層Ｌ２を形成し、次いで一方側（ＷＤ２）のトレッド端Ｐ１でタイヤ幅方向他方側（ＷＤ１）に折り返してタイヤ幅方向他方側（ＷＤ１）のトレッド端近傍部Ａｒ２を終点Ｅ１とする第三層Ｌ３を形成している。
【００４７】
このようにすれば、リボンゴム２０の巻き付けピッチＰ２０を狭くしてリボンゴム２０を起立させなくても、トレッドゴム１０の厚みを確保できるので、厚みの確保とリボンゴムの巻き付けコントロール性の両方を向上させることが可能となる。特に、トラック、バスなどの厚みを必要とするタイヤを成形する上で有用である。
【００４８】
［他の実施形態］
（１）本発明は、リボンゴム２０を途中で切断することなく巻き付け、且つ、巻き付け始端及び終端がトレッド端近傍部にあれば、本実施形態に限定されるものではない。例えば、図８に示す巻き方が挙げられる。すなわち、リボンゴム２０の巻き付け位置は、一方側（ＷＤ２）のトレッド端近傍部Ａｒ１を始点Ｓ２としてタイヤ幅方向一方側（ＷＤ２）のトレッド端Ｐ１に至り、このトレッド端Ｐ１でタイヤ幅方向他方側（ＷＤ１）に折り返して始点Ｓ２を越えてタイヤ幅方向他方側（ＷＤ１）のトレッド端Ｐ２に至り、このトレッド端Ｐ２でタイヤ幅方向一方側（ＷＤ２）に折り返して、他方側（ＷＤ１）のトレッド端近傍部Ａｒ２に至り、このトレッド端近傍部Ａｒ２を終点Ｅ２とする。この例では、図８に示すように、リボンゴム２０の巻き付け終端Ｅ２は、タイヤ周方向に延びる主溝１５の形成箇所に配置されている。主溝１５の形成箇所は、ゴムの厚みが薄くなり、それに伴い高速回転時の発熱が抑えられるので、発熱に起因する故障を抑制でき、高速耐久性能を更に向上させることが可能となる。
【００４９】
（２）上記以外の巻き方として、図９に示すように、対をなすトレッド端近傍部Ａｒ１・Ａｒ２のうち一方のトレッド端近傍部Ａｒ１のみに、リボンゴム２０の巻き付け始端Ｓ及び巻き付け終端Ｅ３を配置してもよい。
【００５０】
（３）上記以外の巻き方として、図１０に示すように、トレッドゴムは、トレッド端Ｐ１・Ｐ２よりも中央側の部位において、タイヤ幅方向一方側（ＷＤ１）に向かって巻き付けられたリボンゴムを位置Ｐ３で折り返して、タイヤ幅方向他方側（ＷＤ２）に向けて巻き付けた後、位置Ｐ４で再度折り返して、タイヤ幅方向一方側（ＷＤ１）に向けて巻き付け、三層構造部Ｄ３を有することが挙げられる。このようにすれば、リボンゴム２０の巻き付けピッチＰ２０を狭くしてリボンゴム２０を立てなくてもトレッドゴム１０の厚みを容易に確保することができる。図１１に示す例は、三層構造部Ｄ３を複数形成したものである。
【００５１】
（４）上記以外の巻き方として、図１２に示す巻き方が挙げられる。すなわち、リボンゴムは、一方側（ＷＤ２）のトレッド端近傍部Ａｒ１を始点Ｓ２としてタイヤ幅方向他方側（ＷＤ１）に向けて巻き付けられる。次いでリボンゴムは、位置Ｐ３で折り返してタイヤ幅方向一方側（ＷＤ２）に向けて前記始点Ｓ２を越えて巻き付けられ、一方側（ＷＤ２）のトレッド端Ｐ１でタイヤ幅方向他方側（ＷＤ１）に折り返して、前記始点Ｓ２を越えて他方側（ＷＤ１）のトレッド端Ｐ２に向けて巻き付けられる。次いでリボンゴムは、他方側（ＷＤ１）のトレッド端Ｐ２で折り返し、トレッド端Ｐ２よりも中央側に位置する終点Ｅ２まで巻き付けられる。このようにすれば、巻き付け終端Ｅ２を折り返すことにより、トレッド端Ｐ２と巻き付け終端Ｅ２とを遠ざけることができるので、巻き付け終端Ｅ２がトレッド端Ｐ２に近づくことによる不具合をより一層低減することが可能となる。不具合の一例として、例えば、後追いローラ（ステチャー）によるリボンゴムの押さえ不足に起因する不良などが挙げられる。
【００５２】
また、巻き付け始端Ｓ１と巻き付け終端Ｅ１は、タイヤ周方向に１８０°離れているのが好ましい。すなわち、巻き付け始端Ｓ１と巻き付け終端Ｅ１がタイヤ回転軸を中心として対称となる位置関係にあると、ＲＦＶ（ラジアルフォースバリエーション）が向上し、周上の接地圧分布が均一になるので、高速耐久性能を向上することができる。
【実施例】
【００５３】
以下、本発明の構成と効果を効果的に示す実施例等について説明する。ここでは、タイヤサイズ２１５／４５Ｒ１７のテストタイヤを用いて、高速耐久性能を評価した。高速耐久性能は、欧州経済委員会規則第３０（Regulation No30 Uniform Provisions Concerning the Approval of Pneumatic Tires for Motor Vehicles and Their Trailers）の付則７で、荷重／速度性能試験手順として定められた速度記号Ｈ（２１０ｋｍ／ｈ）のタイヤについての条件に準拠してテストを行なった。高速耐久性能は、走行速度を１０分毎に１０ｋｍ／ｈ増分させる方式で、タイヤが故障するまでドラム試験機にて高速走行させて評価した。従って、速度が大きいほど高速耐久性能に優れていることを示す。
【００５４】
比較例
リボン巻き工法でトレッドゴムを形成するにあたり、リボンゴムの巻き付け始端をタイヤ幅方向中央部に配置し、横８の字状にリボンゴムを巻き付け、巻き付け終端をタイヤ幅方向中央部（赤道部）に配置したタイヤを作製した（特許文献１参照）。
【００５５】
実施例１
図６に示す経路でリボンゴムを巻き付けてトレッドゴムを形成した。リボンゴム２０の巻き付け始端Ｓ１及び巻き付け終端Ｅ１は、それぞれトレッド端Ｐ１・Ｐ２から中央側に向かってトレッドゴム最大幅Ｗの12.5％の位置に配置した。それ以外は、比較例と同じとした。
【００５６】
実施例２
図８に示す経路でリボンゴムを巻き付けてトレッドゴムを形成した。リボンゴム２０の巻き付け始端Ｓ２及び巻き付け終端Ｅ２は、それぞれトレッド端Ｐ１・Ｐ２から中央側に向かってトレッドゴム最大幅Ｗの20％の位置に配置した。それ以外は、比較例と同じとした。
【００５７】
実施例３
図９に示す経路でリボンゴムを巻き付けてトレッドゴムを形成した。リボンゴム２０の巻き付け始端Ｓ２及び巻き付け終端Ｅ３は、それぞれトレッド端Ｐ１から中央側に向かってトレッドゴム最大幅Ｗの24.1％の位置に配置した。それ以外は、比較例と同じとした。
【００５８】
実施例４
図１０に示す経路でリボンゴムを巻き付けてトレッドゴムを形成した。リボンゴム２０の巻き付け始端Ｓ２及び巻き付け終端Ｅ２は、それぞれトレッド端Ｐ１・Ｐ２から中央側に向かってトレッドゴム最大幅Ｗの23.2％の位置に配置した。それ以外は、比較例と同じとした。
【００５９】
実施例５
図１２に示す経路でリボンゴムを巻き付けてトレッドゴムを形成した。リボンゴム２０の巻き付け始端Ｓ２及び巻き付け終端Ｅ２は、それぞれトレッド端Ｐ１・Ｐ２から中央側に向かってトレッドゴム最大幅Ｗの20％の位置に配置した。それ以外は、比較例と同じとした。
【００６０】
【表１】
2013147243.tif 000003
【００６１】
比較例では２８０ｋｍ／ｈで故障が発生したのに対し、実施例１〜５のいずれも故障が発生した速度が比較例を上回っているので、高速耐久性能が向上していることが分かる。なお、実施例４が実施例１〜３に対して高速耐久性能が低いのは、対をなすトレッド端近傍部Ａｒ１・Ａｒ２の間のトレッド中間部に、リボンゴム２０の折り返し端が存在するためと考えられる。したがって、高速耐久性能を追求する観点では、上記トレッド中間部（タイヤ赤道を含む）に折り返し端がないのが好ましいと考えられる。
【符号の説明】
【００６２】
１０…トレッドゴム
１５…主溝
２０…リボンゴム
Ｐ１、Ｐ２…トレッド端
Ｓ１、Ｓ２…始点（巻き付け始端）
Ｅ１、Ｅ２、Ｅ３…終点（巻き付け終端）
Ａｒ１、Ａｒ２…トレッド端近傍部
Ｄ３…三層構造部
Ｌ１…第一層
Ｌ２…第二層
Ｌ３…第三層
【図１】
2013147243.tif 000004
【図２】
2013147243.tif 000005
【図３】
2013147243.tif 000006
【図４】
2013147243.tif 000007
【図５】
2013147243.tif 000008
【図６】
2013147243.tif 000009
【図７】
2013147243.tif 000010
【図８】
2013147243.tif 000011
【図９】
2013147243.tif 000012
【図１０】
2013147243.tif 000013
【図１１】
2013147243.tif 000014
【図１２】
2013147243.tif 000015